(57)【要約】【課題】  長尺物に対して安全に切り込みを入れることができる長尺物掴み工具を提供することを課題とする。【解決手段】  開閉可能な一対の開閉部材２と、該一対の開閉部材２の間に配置され、長尺物を掴み可能な掴み部材３と、を備え、掴み部材３は、前記一対の開閉部材２の開閉動作に連動して長尺物を掴み或いは、該掴みを解除する動作を行い、且つ一対の開閉部材２から離れた位置で、掴んだ長尺物の長尺方向に沿って刃物をガイドするように構成されていることを特徴とする長尺物掴み工具１。【選択図】図１
2017208886.tif 000002
【特許請求の範囲】
【請求項１】
開閉可能な一対の開閉部材と、該一対の開閉部材の間に配置され、長尺物を掴み可能な掴み部材と、を備え、掴み部材は、前記一対の開閉部材の開閉動作に連動して長尺物を掴み或いは、該掴みを解除する動作を行い、且つ一対の開閉部材から離れた位置で、掴んだ長尺物の長尺方向に沿って刃物をガイドするように構成されていることを特徴とする長尺物掴み工具。
【請求項２】
前記掴み部材で長尺物を掴んだ状態では、前記一対の開閉部材の開閉先端部同士は、開閉方向で離間しており、掴み部材は、前記開閉先端部同士の間に刃物が位置するように該刃物をガイドする、請求項１に記載の長尺物掴み工具。
【請求項３】
前記掴み部材は、その先端が一対の開閉部材の先端から離間するように配置されて刃物をガイドするように構成されている、請求項１又は２に記載の長尺物掴み工具。
【請求項４】
前記一対の開閉部材は、開閉先端部同士が接離可能となるように、開閉基端部同士が枢着されており、前記掴み部材は、掴み基端部が前記一対の開閉部材の開閉基端部側に配置され、掴み先端部が前記一対の開閉部材の開閉先端部側に配置され、掴み基端部を起点にして掴み先端部が前記一対の開閉部材の接離方向で回動するように構成され、しかも、前記一対の開閉部材が離間するように開くと、長尺物を掴む領域が広くなるように回動し、前記一対の開閉部材が接近するように閉じると、長尺物を掴む領域が狭くなるように回動する、請求項１〜３のいずれか１項に記載の長尺物掴み工具。
【請求項５】
前記掴み部材は、前記一対の開閉部材のうちの一方の開閉部材に対して、他方の開閉部材側へ所定距離離間した状態で連結され、他方の開閉部材とで、長尺物を掴むように構成されている、請求項１〜４のいずれか１項に記載の長尺物掴み工具。
【発明の詳細な説明】
【技術分野】
【０００１】
本発明は、長尺物を掴む長尺物掴み工具に関する。
【背景技術】
【０００２】
例えば、電線同士を電気的に接続するために、電線の被覆を剥がし、芯線を露出させるという作業が行われる。かかる作業は、一般的に、作業者が一方の手で電線を把持し、他方の手で、図７に示すような電工ナイフ１００等の刃物を把持し、電線の被覆に対して切り込みを入れていく（特許文献１）。
【０００３】
具体的には、作業者は、電線を一方の手で把持した状態で、他方の手で把持した電工ナイフ１００によって、電線の周方向に沿って被覆に対して切り込みを入れていく。全周に亘って切り込みを入れた後、長手方向に沿って切り込みを入れていく。作業者は、長手方向に入れた切り込みに沿って被覆を開くようにして、被覆の先端部分を取り除く。
【先行技術文献】
【特許文献】
【０００４】
【特許文献１】特開２０１１−１６１０８０号公報
【発明の概要】
【発明が解決しようとする課題】
【０００５】
このような被覆除去作業では、電工ナイフ１００を被覆に対して押さえ付けながら切り込みを入れていくため、電線がしっかりと固定されている必要がある。そのため、作業者は、電線を強く握った状態で、電線を把持した手に近い位置から被覆に対して切り込みを入れていく。
【０００６】
ところが、被覆された電線は、断面円形状であるし、その被覆表面は滑らかに形成されたものが多く、以上のような方法では、電工ナイフ１００の刃先が被覆表面を滑り、作業者の手に接触するなどして、作業者が怪我をするという問題がある。
【０００７】
なお、このような問題は、電線の被覆を剥がす場合に限られるものではなく、作業者が、長尺物に切り込みを入れる場合全般に起こり得る。
【０００８】
そこで、本発明は、かかる実情に鑑み、長尺物に対して安全に切り込みを入れることができる長尺物掴み工具を提供することを課題とする。
【課題を解決するための手段】
【０００９】
本発明に係る長尺物掴み工具は、開閉可能な一対の開閉部材と、該一対の開閉部材の間に配置され、長尺物を掴み可能な掴み部材と、を備え、掴み部材は、前記一対の開閉部材の開閉動作に連動して長尺物を掴み或いは、該掴みを解除する動作を行い、且つ一対の開閉部材から離れた位置で、掴んだ長尺物の長尺方向に沿って刃物をガイドするように構成されていることを特徴とする。
【００１０】
該構成の長尺物掴み工具にあっては、開閉部材の開閉動作と、掴み部材の掴み・掴み解除動作とが連動しているので、作業者は、手指で開閉部材を把持して開閉操作することで、長尺物を掴み部材で掴むことができる。ここで、該掴み状態では、掴み部材が開閉部材から離れた位置で刃物をガイドするように構成されている。
【００１１】
即ち、長尺物を掴む部分（つまり、長尺物を掴んでいる掴み部材）と、掴み部材の掴み操作するための操作部分（つまり、開閉部材）とが離れた状態で、掴み部材で刃物をガイドすることができる。そのため、長尺物を把持する手指と、刃物の切り込み軌跡とが離れるので、切り込み中に刃物が手指に当たらない。
【００１２】
本発明の一態様として、前記掴み部材で長尺物を掴んだ状態では、前記一対の開閉部材の開閉先端部同士は、開閉方向で離間しており、掴み部材は、前記開閉先端部同士の間に刃物が位置するように該刃物をガイドしてもよい。
【００１３】
かかる構成によれば、開閉方向で離間した一対の開閉部材の開閉先端部同士の間に刃物を位置させた状態で刃物をガイドすることができるので、刃物を、手指から離した状態でガイドすることができる。
【００１４】
本発明の他態様として、前記掴み部材は、その先端が一対の開閉部材の先端から離間するように配置されて刃物をガイドするように構成されていてもよい。
【００１５】
かかる構成によれば、掴み部材の先端が一対の開閉部材から離間して刃物をガイドするので、刃物を、手指から離した状態でガイドすることができる。
【００１６】
本発明の別の態様として、前記一対の開閉部材は、開閉先端部同士が接離可能となるように、開閉基端部同士が枢着されており、前記掴み部材は、掴み基端部が前記一対の開閉部材の開閉基端部側に配置され、掴み先端部が前記一対の開閉部材の開閉先端部側に配置され、掴み基端部を起点にして掴み先端部が前記一対の開閉部材の接離方向で回動するように構成され、しかも、前記一対の開閉部材が離間するように開くと、長尺物を掴む領域が広くなるように回動し、前記一対の開閉部材が接近するように閉じると、長尺物を掴む領域が狭くなるように回動するようにしてもよい。
【００１７】
かかる構成によれば、長尺物掴み工具を把持した作業者が開き操作すると、一対の開閉部材が開いて、これに連動して掴み部材が回動し、長尺物を掴むための掴み領域が広がる。掴み領域に長尺物を入れ、閉じ操作すると、一対の開閉部材が閉じて、これに連動して掴み部材が回動し、掴み領域が狭くなるので、長尺物を掴むことができる。よって、かかる構成によれば、長尺物の掴み操作がし易くなっている。
【００１８】
本発明の別の態様として、前記掴み部材は、前記一対の開閉部材のうちの一方の開閉部材に対して、他方の開閉部材側へ所定距離離間した状態で連結され、他方の開閉部材とで、長尺物を掴むように構成されている。
【００１９】
かかる構成によれば、一方の開閉部材側にある手指が掴み部材から離れるので、刃物を安全にガイドすることができる。
【発明の効果】
【００２０】
以上より、本発明によれば、長尺物に対して安全に切り込みを入れることができる長尺物掴み工具を提供することができる。
【図面の簡単な説明】
【００２１】
【図１】図１は、本発明の一実施形態に係る長尺物掴み工具の斜視図である。
【図２】図２は、本発明の一実施形態に係る長尺物掴み工具における一方の開閉部材を説明するための図である。
【図３】図３は、本発明の一実施形態に係る長尺物掴み工具における他方の開閉部材を説明するための図である。
【図４】図４は、同実施形態に係る長尺物掴み工具を作業者が把持した状態を説明するための図である。図４（ａ）は、長尺物掴み工具で電線を掴む前の状態を説明するための図であり、図４（ｂ）は、長尺物掴み工具で電線を掴んだ状態を説明するための図である。
【図５】図５は、同実施形態に係る長尺物掴み工具の使用状態を説明するための図である。
【図６】図６は、他実施形態に係る長尺物掴み工具の平面図である。
【図７】図７は、電線の被覆を剥がすために使用される電工ナイフを示す図である。
【発明を実施するための形態】
【００２２】
被覆部を有する長尺物に対して、長尺物の長尺方向に切り込みを入れる作業においては、通常、作業者は、一方の手で長尺物を握り、他方の手で刃物を把持して該刃物の刃を長尺物に対して押し当てる。例えば、長尺物としての電線の被覆を剥がすような場合に、該電線の被覆が硬くて表面が滑らかに形成されていると、電線に押し当てられた刃物が被覆に対して勢いよく滑って作業者の手指に接触してしまう虞がある。このように、電線等に限られず、長尺物に切り込みを入れる作業は大変危険である。本実施形態に係る長尺物掴み工具は、作業者が電線等の長尺物に対して切り込みを入れる際に使用されるものであり、作業者が安全に作業することのできるものとなっている。本実施形態では、長尺物としての電線に対して刃物としての電工ナイフで切り込みを入れる場合について説明する。また、本実施形態では、作業者は、利き手で電工ナイフを把持して、利き手とは反対の手で長尺物掴み工具を把持するものとする。
【００２３】
以下、本発明の一実施形態に係る長尺物掴み工具１について、図面を参照しつつ説明する。
【００２４】
図１に示すように、本実施形態の長尺物掴み工具１は、作業者Ｈが把持して開閉可能な一対の開閉部材２と、電線Ｗを掴み可能な掴み部材３と、一対の開閉部材２のうちの一方の開閉部材２Ａと掴み部材３とを連結するリンク部材４と、一対の開閉部材２同士を閉じるように付勢する付勢部材５（図４参照）と、作業者Ｈの手指を保護する保護部６と、各部材同士を回動可能に連結する複数の連結軸７と、を備える。
【００２５】
一対の開閉部材２は、作業者Ｈが手で握る部分である。本実施形態の長尺物掴み工具１は、作業者Ｈが片手で把持可能に構成されている。具体的には、一対の開閉部材２は、外周面が作業者Ｈの片手による把持部となるように構成されている。開閉部材２は、作業者がしっかりと握られるように、樹脂製の硬い材料で形成されている。開閉部材２は、開閉先端部２１と開閉基端部２２とを有する。一対の開閉部材２は、開閉先端部２１同士が接離可能となるように構成されている。本実施形態の一対の開閉部材２は、開閉基端部２２同士が枢着されている。一対の開閉部材２同士は、対向して配置されている。具体的には、一対の開閉部材２同士は、後述する掴み領域Ｒ１を介して対向している。本実施形態の一対の開閉部材２は、開閉先端部２１同士が互いに接近するように、対向する開閉部材２に向かって内向するように配置されている。
【００２６】
一対の開閉部材２のうちの一方の開閉部材２Ａは、作業者Ｈが把持した際に、作業者Ｈの人差し指から小指、及び人差し指から小指の付け根が沿う部分である。一対の開閉部材２のうちの他方の開閉部材２Ｂは、作業者Ｈが把持した際に、作業者Ｈの親指、及び親指の付け根が沿う部分である。
【００２７】
開閉部材２は、作業者Ｈの指を当接可能な胴部２３と、対向する開閉部材２の開閉基端部２２と胴部２３とを連結する連結部２４と、を有する。開閉部材２は、対向する開閉部材２側を向く内面２５と、該内面２５の反対側に位置する外面２６とを有する。開閉部材２は、所定の厚みを有して、扁平に形成されている。開閉部材２は、長辺と短辺とを有する。開閉部材２は、電線Ｗの線方向に延びる辺が長辺となっており、電線Ｗの径方向に沿った幅方向に延びる辺が短辺となっている。また、長さ方向及び幅方向に直交する方向が厚み方向となっている。以下、長さ方向を上下方向Ｘとし、幅方向を左右方向として、開閉部材２の内面２５を正面視した場合を基準に、左側を左方、右側を右方とする。以下、一方の開閉部材２Ａと他方の開閉部材２Ｂとで共通する部位については、一方の開閉部材２Ａに含まれる部位についてはＡを付し、他方の開閉部材２Ｂに含まれる部材については、Ｂを付すものとする。
【００２８】
以下、一方の開閉部材２Ａについて説明する。図１及び図２に示すように、本実施形態の一方の開閉部材２Ａは、胴部２３Ａと連結部２４Ａとが相対的に回動可能に連結されている。胴部２３Ａは、左右方向における左端に左胴部２３１Ａと、左右方向における右側に右胴部２３２Ａと、左胴部２３１Ａと右胴部２３２Ａとの間に中央胴部２３３Ａと、を有する。胴部２３Ａは、長辺と短辺とを有する矩形の板状部材である。本実施形態では、左右方向における左胴部２３１Ａ及び右胴部２３２Ａの端面は面取りされており、各端面は、円弧状に湾曲した湾曲面となっている。左胴部２３１Ａには、上下方向に貫通する胴部貫通孔２３１Ｃが形成されている。本実施形態では、胴部２３Ａは、内面２５Ａが径内方向を向き、外面２６Ａが径外方向を向く、円弧状に湾曲した形状となっている。中央胴部２３３Ａには、保護部６を取り付けるためのスリットＬが形成されている。
【００２９】
連結部２４Ａは、一対の連結本体２４１Ａと、該一対の連結本体２４１Ａの間に配置され、作業者Ｈの指の付け根を当接させる延設部２４２Ａとを有する。本実施形態では、連結部２４Ａは、上下方向Ｘに延びる板状の部材である。
【００３０】
連結本体２４１Ａは、所定の厚みを有し、所定の方向に延びる板状部材である。連結本体２４１Ａは、上下方向Ｘにおける延設部２４２Ａの各端面に、連結本体２４１Ａの板厚方向と、上下方向Ｘとが一致するように配置されている。以下、延設部２４２Ａの上端に配置された連結本体２４１Ａを参照しつつ説明するが、延設部２４２Ａの下端に配置された連結本体２４１Ａも同様の構造である。連結本体２４１Ａは、左右方向における左端に左連結本体２４１１Ａと、左右方向における右側に右連結本体２４１２Ａと、左連結本体２４１１Ａと右連結本体２４１２Ａとの間に中央連結本体２４１３Ａと、を有する。
【００３１】
左連結本体２４１１Ａ及び右連結本体２４１２Ａは、左右方向外方に向けて湾曲した半円状に形成されている。左連結本体２４１１Ａ及び右連結本体２４１２Ａには、板厚方向に貫通する貫通孔が形成されている。以下、左連結本体２４１１Ａに形成された貫通孔を左貫通孔２４１Ｃ、右連結本体２４１２Ａに形成された貫通孔を右貫通孔２４１Ｄとする。本実施形態では、連結本体２４１Ａは、上下方向Ｘに対向する面を上面及び下面として、中央連結本体２４１３Ａにおける一方の面が径内方向を向き、他方の面が径外方向を向く、円弧状に湾曲した形状となっている。
【００３２】
延設部２４２Ａは、左右方向における左端に左延設部２４２１Ａと、左右方向における右側に右延設部２４２２Ａと、左延設部２４２１Ａと右延設部２４２２Ａとの間に中央延設部２４２３Ａと、を有する。延設部２４２Ａは、長辺と短辺とを有する矩形の板状部材である。本実施形態では、左右方向における左延設部２４２１Ａ及び右延設部２４２２Ａの端面は面取りされており、各端面は、円弧状に湾曲した湾曲面となっている。左延設部２４２１Ａには、上下方向Ｘに貫通する延設部貫通孔２４２Ｃが形成されている。本実施形態では、延設部２４２Ａは、上下方向Ｘに対向する面を上面及び下面として、中央延設部２４２３Ａにおける一方の面が径内方向を向き、他方の面が径外方向を向く、円弧状に湾曲した形状となっている。
【００３３】
連結部２４Ａは、連結本体２４１Ａと延設部２４２Ａとが連結されることによって構成されている。具体的には、連結本体２４１Ａは、左貫通孔２４１Ｃの中心と延設部貫通孔２４２Ｃの中心とが一致するように延設部２４２Ａの各端面上に配置されている。左連結本体２４１１Ａの端面は、左延設部２４２１Ａの端面と同一平面状に位置している。延設部２４２Ａは、左右方向の長さが連結本体２４１Ａの左右方向の長さよりも短く、右延設部２４２２Ａの端縁が、連結本体２４１Ａの右貫通孔２４１Ｄの開口端縁よりも左方に位置している。本実施形態の連結本体２４１Ａは、延設部２４２Ａの曲率と同じ曲率で、板面方向に湾曲しており、連結本体２４１Ａの湾曲方向と延設部２４２Ａの湾曲方向とが一致するように配置されている。この配置により、連結部２４Ａは、他方の開閉部材２Ｂから離間する方向に湾曲して形成されている。
【００３４】
一方の開閉部材２Ａは、胴部２３Ａと連結部２４Ａとが連結されることによって構成されている。具体的には、胴部２３Ａは、連結部２４Ａに対して回動可能に連結されている。本実施形態では、胴部２３Ａは、連結本体２４１Ａの右連結本体２４１２Ａ間に、左胴部２３１Ａが挟まれるように配置されている。胴部２３Ａは、胴部貫通孔２３１Ｃの中心と、連結本体２４１Ａの右貫通孔２４１Ｄの中心とが一致するように配置され、胴部２３Ａと連結部２４Ａとは、連結軸７１によって連結されている。該胴部２３Ａと連結部２４Ａとは、連結軸７１を回動軸として、相対的に回動する。
【００３５】
一方の開閉部材２Ａは、連結部２４Ａにおける左連結本体２４１１Ａ側が開閉基端部２２Ａとなるように、また、胴部２３Ａにおける右胴部２３２Ａ側が開閉先端部２１Ａとなるように、他方の開閉部材２Ｂに対して枢着される。本実施形態では、胴部２３Ａと連結部２４Ａとが同方向に湾曲するように胴部２３Ａと連結部２４Ａとが連結されており、一方の開閉部材２Ａは、他方の開閉部材２Ｂから離間する方向に湾曲した形状となっている。
【００３６】
以下、他方の開閉部材２Ｂについて説明する。図１及び図３に示すように、胴部２３Ｂは、左右方向における左端に左胴部２３１Ｂと、左右方向における右側に右胴部２３２Ｂと、左胴部２３１Ｂと右胴部２３２Ｂとの間に中央胴部２３３Ｂと、を有する。胴部２３Ｂは、長辺と短辺とを有する矩形の板状部材である。本実施形態では、左右方向における左胴部２３１Ｂ及び右胴部２３２Ｂの端面は面取りされており、各端面は、円弧状に湾曲した湾曲面となっている。本実施形態では、胴部２３Ｂは、内面２５Ｂが径内方向を向き、外面２６Ｂが径外方向を向く、円弧状に湾曲した形状となっている。中央胴部２３３Ｂには、保護部６を取り付けるためのスリットＬが形成されている。
【００３７】
連結部２４Ｂは、一対の連結本体２４１Ｂを有する。連結本体２４１Ｂは、所定の厚みを有し、所定の方向に延びる板状部材である。連結本体２４１Ｂは、上下方向Ｘにおける胴部２３Ｂの各端面に、連結本体２４１Ｂの板厚方向と、上下方向Ｘとが一致するように配置されている。連結本体２４１Ｂは、左右方向における左端に左連結本体２４１１Ｂと、左右方向における右側に右連結本体２４１２Ｂと、左連結本体２４１１Ｂと右連結本体２４１２Ｂとの間に中央連結本体２４１３Ｂと、を有する。
【００３８】
左連結本体２４１１Ｂ及び右連結本体２４１２Ｂは、左右方向外方に向けて湾曲した半円状に形成されている。右連結本体２４１２Ｂ及び中央連結本体２４１３Ｂには、板厚方向に貫通する貫通孔が形成されている。以下、右連結本体２４１２Ｂに形成された貫通孔を右貫通孔２４２Ｄ、中央連結本体２４１３Ｂに形成された貫通孔を中央貫通孔２４２Ｅとする。本実施形態では、連結本体２４１Ｂは、上下方向Ｘに対向する面を上面及び下面として、中央連結本体２４１３Ｂにおける一方の面が径内方向を向き、他方の面が径外方向を向く、円弧状に湾曲した形状となっている。
【００３９】
左連結本体２４１１Ｂの端面は、左胴部２３１Ｂの端面と同一平面状に位置している。胴部２３Ｂは、左右方向の長さが連結本体２４１Ｂの左右方向の長さよりも短く、右胴部２３２Ｂの端縁が、連結本体２４１Ｂの右貫通孔２４２Ｄ及び中央貫通孔２４２Ｅの開口端縁よりも左方に位置している。本実施形態の連結本体２４１Ｂは、胴部２３Ｂの曲率と同じ曲率で、板面方向に湾曲しており、連結本体２４１Ｂの湾曲方向と胴部２３Ｂの湾曲方向とが一致するように配置されている。この配置により、他方の開閉部材２Ｂは、一方の開閉部材２Ａから離間する方向に湾曲して形成されている。
【００４０】
他方の開閉部材２Ｂは、連結部２４Ｂにおける右連結本体２４１２Ｂ側が開閉基端部２２Ｂとなるように、また、胴部２３Ｂにおける左胴部２３１Ｂ側が開閉先端部２１Ｂとなるように、一方の開閉部材２Ａに対して枢着される。
【００４１】
一対の開閉部材２は、回動可能に連結されている。本実施形態では、一方の開閉部材２Ａは、他方の開閉部材２Ｂにおける右連結本体２４１２Ｂ間に、開閉基端部２２Ａが挟まれるように配置されている。一方の開閉部材２Ａは、連結部２４Ａの貫通孔の中心と、他方の開閉部材２Ｂの右貫通孔２４２Ｄの中心とが一致するように配置され、一対の開閉部材２同士は、連結軸７２によって連結されている。一対の開閉部材２は、連結軸７２を回動軸として、相対的に回動する。
【００４２】
掴み部材３は、一対の開閉部材２の間に配置され、電線Ｗを掴み可能に構成されている。掴み部材３は、一対の開閉部材２の開閉動作に連動して掴み、該掴みを解除する動作を行うように構成されている。掴み部材３は、一対の開閉部材２から離れた位置で、掴んだ電線Ｗの線方向に沿って電工ナイフＦをガイドするように構成されている。
【００４３】
掴み部材３は、掴み基端部３１が一対の開閉部材２の開閉基端部２２側に配置され、掴み先端部３２が一対の開閉部材２の開閉先端部２１側に配置されている。掴み部材３は、掴み基端部３１を起点にして掴み先端部３２が一対の開閉部材２の接離方向で回動するように構成されている。また、掴み部材３は、一対の開閉部材２が離間するように開くと、電線Ｗを掴む領域が広くなるように回動し、一対の開閉部材２が接近するように閉じると、電線Ｗを掴む領域が狭くなるように回動する。
【００４４】
本実施形態では、掴み部材３は、一対の開閉部材２のうちの一方の開閉部材２Ａに対して、他方の開閉部材２Ｂ側へ所定距離離間した状態で連結され、他方の開閉部材２Ｂとで、電線Ｗを掴むように構成されている。本実施形態では、掴み部材３は、他方の開閉部材２Ｂの胴部２３Ｂとで電線Ｗを掴むように構成されている。具体的には、掴み部材３は、他方の開閉部材２Ｂに対向する対向面３３と、胴部２３Ｂの内面２５Ｂとで、電線Ｗを掴む掴み領域Ｒ１（図４参照）を構成している。
【００４５】
以下、掴み部材３の対向面３３を正面視した場合を基準に、左側を左方、右側を右方とする。掴み部材３は、左右方向における左端に左掴み部３４と、左右方向における右端に右掴み部３５と、左掴み部３４と右掴み部３５との間に中央掴み部３６と、を有する。掴み部材３は、長辺と短辺とを有する矩形の板状部材である。本実施形態では、左右方向における左掴み部３４及び右掴み部３５の端面は面取りされており、各端面は、円弧状に湾曲した湾曲面となっている。左掴み部３４には、上下方向Ｘに貫通する左貫通孔３Ａが形成されている。また、中央掴み部３６には、上下方向Ｘに貫通する中央貫通孔３Ｂが形成されている。本実施形態では、掴み部材３は、対向面３３が径内方向を向き、外面が径外方向を向く、円弧状に湾曲した形状となっている。右掴み部３５の端面は、上下方向Ｘに沿ってストレートに延びるように形成されている。
【００４６】
掴み部材３は、左掴み部３４側が掴み基端部３１となるように、また、右掴み部３５側が掴み先端部３２となるように、他方の開閉部材２Ｂに連結されている。本実施形態の掴み部材３は、掴み先端部３２が他方の開閉部材２Ｂに接近するように、内向して配置されている。掴み部材３は、左貫通孔３Ａの中心と他方の開閉部材２Ｂの中央貫通孔２４２Ｅの中心とが一致するように他方の開閉部材２Ｂにおける中央連結本体２４１３Ｂ間に配置されている。そして、掴み部材３は、左貫通孔３Ａ及び中央貫通孔２４２Ｅに連結軸７３が挿通されることで、他方の開閉部材２Ｂに対して回動可能に連結されている。また、掴み部材３は、一方の開閉部材２Ａの湾曲方向と同方向に湾曲するように一対の開閉部材２間に配置されており、掴み部材３の対向面３３と他方の開閉部材２Ｂの内面２５Ｂとで、円形状の掴み領域Ｒ１を構成している。掴み部材３は、右掴み部３５の湾曲面が、電工ナイフＦをガイドするガイド部Ｔとなっている。
【００４７】
図４に示すように、掴み部材３は、電線Ｗを掴んでいない状態の掴み解除位置Ｖ１（図４（ａ）の状態）と電線Ｗを掴んだ状態の掴み位置Ｖ２（図４（ｂ）の状態）との間を移動可能（往復可能）に構成されており、掴み解除位置Ｖ１及び掴み位置Ｖ２の何れの位置にあっても、掴み先端部３２が一対の開閉部材２の開閉先端部２１よりも開閉基端部２２側（内側）に位置している。即ち、掴み部材３は、一対の開閉部材２の内面２５によって形成される領域Ｒ２内に配置され、該領域Ｒ２内で電線Ｗを掴むように構成されているので、掴み部材３は、その掴み先端部３２が一対の開閉部材２の開閉先端部２１から離間するように配置されている。
【００４８】
図１に戻って示すように、リンク部材４は、上下方向Ｘで対向する一対のリンク本体４１を有する。ここでは、上側のリンク部材４を参照しつつ説明する。リンク本体４１は、所定の厚みを有し、所定の方向に延びる板状部材である。長手方向におけるリンク本体４１の両端縁は、円弧を描くように、半円状に形成されている。リンク部材４には、長手方向における両端部に、板厚方向に貫通する貫通孔が形成されている。
【００４９】
リンク本体４１は、一方の端部４１１が一方の開閉部材２Ａに連結され、他方の端部４１２が掴み部材３に連結されている。本実施形態では、リンク本体４１は、一方の端部４１１が、一方の開閉部材２Ａにおける右連結本体２４１２Ａと左胴部２３１Ａとに挟まれ、連結軸７１を回動軸として、一方の開閉部材２Ａに対して回動可能に連結されている。また、リンク本体４１は、他方の端部４１２が掴み部材３の上下方向Ｘにおける各端面に載置されており、連結軸７４を回動軸として、掴み部材３に対して回動可能に連結されている。
【００５０】
本実施形態のリンク本体４１は、一対の開閉部材２の開閉動作に連動して、掴み部材３を回動させる機能を有すると共に、掴み部材３を、一方の開閉部材２Ａに対して他方の開閉部材２Ｂ側へ所定距離離間させる機能を有する。
【００５１】
図４に示すように、付勢部材５は、コイルばねである。付勢部材５は、ばね本体５１と、一対の係止部５２とを有する。一対の係止部５２のうちの一方の係止部５２Ａは、連結軸７１に係止されている。一対の係止部５２のうちの他方の係止部５２Ｂは、連結軸７３に係止されている。
【００５２】
一対の開閉部材２は、外力のかからない自然姿勢Ｓ１から外力がかかって一対の開閉部材２同士が離間する方向に広がった離間姿勢Ｓ２へと変形可能となっている。一対の開閉部材２は、掴み部材３で電線Ｗを掴む前においては、自然姿勢Ｓ１を維持している。一対の開閉部材２は、自然姿勢Ｓ１において、開閉先端部２１同士が開閉方向で離間している。一対の開閉部材２は、作業者Ｈの力で強制的に離間姿勢Ｓ２に変形される。一対の開閉部材２が離間姿勢Ｓ２にある状態で掴み部材３は電線Ｗを掴み、掴み部材３で電線Ｗを掴んだ状態では、一対の開閉部材２の開閉先端部２１同士は、開閉方向で離間している。掴み部材３は、付勢部材５の復元力によって、電線Ｗを付勢した状態で掴むように構成されている。
【００５３】
図５に示すように、保護部６は、作業者Ｈの手首を保護する保護部本体６１と、一対の開閉部材２の胴部２３と係合する一対の係合部６２と、を有する。保護部本体６１は、電工ナイフＦによって切断され難い材質で形成されている。保護部本体６１は、例えば、一般的な切創防止用の手袋と同様の素材によって形成されている。保護部本体６１は、一枚のシート状の部材である。係合部６２は、保護部本体６１の内側に一対設けられている。係合部６２は、開閉部材２のスリットＬに係合することで、上下方向Ｘに、開閉部材２に沿ってスライド可能に構成されている。保護部６は、下端側にスライドされることで、電工ナイフＦの軌跡上に保護部本体６１が位置するように、一対の開閉部材２に取り付けられている。保護部６は、一対の開閉部材２の開閉基端部２２側を覆うと共に、開閉先端部２１側が覆われないように、端部同士が離間した状態で一対の開閉部材２に巻きつけられる。
【００５４】
本実施形態に係る長尺物掴み工具１の説明は以上である。以下、本実施形態の長尺物掴み工具１の使い方について、図面を参照しつつ説明する。
【００５５】
図４（ａ）に示すように、長尺物掴み工具１は、電線Ｗを掴む前の状態においては、一対の開閉部材２は、自然姿勢Ｓ１となっている。作業者Ｈは、一方の開閉部材２Ａに人差し指から小指を当接し、他方の開閉部材２Ｂに親指を当接して、一対の開閉部材２を把持する。
【００５６】
図４（ｂ）に示すように、作業者Ｈが人差し指から小指の先端を胴部２３Ａに当接した状態で、指を付け根側に引くようにして曲げると、指の曲げ動作に従って、胴部２３Ａが連結部２４Ａの右連結本体２４１２Ａを押すようにして、胴部２３Ａと連結部２４Ａとが連結軸７１を中心に相対的に回動し始める。連結部２４Ａは、他方の開閉部材２Ｂに対して連結軸７２を介して回動可能に連結されているので、指の曲げ動作に伴って、連結部２４Ａが連結軸７２を中心に回動し、連結部２４Ａと他方の開閉部材２Ｂとが成す角度αが徐々に大きくなる。胴部２３Ａは、作業者Ｈの指に当接しながら開閉基端部２２側に移動するので、一対の開閉部材２の開閉先端部２１同士が離間する。
【００５７】
連結部２４Ａと他方の開閉部材２Ｂとが成す角度αが大きくなるに従って、リンク部材４が連結部２４Ａに引っ張られ、リンク部材４に連結された掴み部材３は、一方の開閉部材２Ａ側に立ち上がり、他方の開閉部材２Ｂから離間する。
【００５８】
以上のように、胴部２３Ａが開閉基端部２２側に移動するに伴って、一対の開閉部材２の開閉先端部２１同士が離間すると同時に、掴み部材３の掴み先端部３２と他方の開閉部材２Ｂの開閉先端部２１Ｂとが離間する。
【００５９】
胴部２３Ａを十分に開閉基端部２２側に引き付けて、一対の開閉部材２の開閉先端部２１同士によって形成される開口Ｐ１が、掴み部材３の掴み先端部３２と他方の開閉部材２Ｂの開閉先端部２１Ｂとによって形成される開口Ｐ２よりも広くなるように一対の開閉部材２同士を離間させ、電線Ｗを掴み領域Ｒ１に配置する。このとき、一対の開閉部材２は、作業者Ｈによって強制的に開状態にされた離間姿勢Ｓ２となっており、電線Ｗを掴み領域Ｒ１に配置した状態で作業者Ｈが、指を元に戻すことによって、付勢部材５の復元力によって、一対の開閉部材２は自然姿勢Ｓ１に戻ろうとする。電線Ｗは、掴み部材３と他方の開閉部材２Ｂとによって付勢された状態で掴まれる。
【００６０】
図５に示すように、作業者Ｈは、長尺物掴み工具１を持ち易いように把持し、利き手で電工ナイフＦを把持する。電工ナイフＦの刃先を掴み部材３のガイド部Ｔに宛がいつつ、電線Ｗの被覆に食い込ませる。そして、電工ナイフＦをガイド部Ｔに沿って下方に移動させることで、電線Ｗの被覆に切り込みを入れていく。
【００６１】
以上のように、上記実施形態の長尺物掴み工具１にあっては、開閉部材２の開閉動作と、掴み部材３の掴み・掴み解除動作とが連動しているので、作業者は、手指で開閉部材２を把持して開閉操作することで、電線Ｗを掴み部材３で掴むことができる。ここで、該掴み状態では、掴み部材３が開閉部材２から離れた位置で電工ナイフＦをガイドするように構成されている。
【００６２】
即ち、電線Ｗを掴む部分（つまり、電線Ｗを掴んでいる掴み部材３）と、掴み部材３の掴み操作するための操作部分（つまり、開閉部材２）とが離れた状態で、掴み部材３で電工ナイフＦをガイドすることができる。そのため、電線Ｗを把持する手指と、電工ナイフＦの切り込み軌跡とが離れるので、切り込み中に電工ナイフＦが手指に当たらない。
【００６３】
また、本実施形態では、掴み部材３で電線Ｗを掴んだ状態では、一対の開閉部材２の開閉先端部２１同士は、開閉方向で離間しており、掴み部材３は、一対の開閉部材２の開閉先端部２１同士の間に電工ナイフＦが位置するように該電工ナイフＦをガイドする。そのため、開閉方向で離間した一対の開閉部材２の開閉先端部２１同士の間に電工ナイフＦを位置させた状態で電工ナイフＦをガイドすることができるので、電工ナイフＦを、手指から離した状態でガイドすることができる。
【００６４】
さらに、本実施形態では掴み部材３は、その先端が一対の開閉部材２の先端から離間するように配置されて電工ナイフＦをガイドするように構成されている。そのため、掴み部材３の先端が一対の開閉部材２から離間して電工ナイフＦをガイドするので、電工ナイフＦを、手指から離した状態でガイドすることができる。
【００６５】
本実施形態では、長尺物掴み工具１を把持した作業者Ｈが開き操作すると、一対の開閉部材２が開いて、これに連動して掴み部材３が回動し、電線Ｗを掴むための掴み領域Ｒ１が広がる。掴み領域Ｒ１に電線Ｗを入れ、閉じ操作すると、一対の開閉部材２が閉じて、これに連動して掴み部材３が回動し、掴み領域Ｒ１が狭くなるので、電線Ｗを掴むことができる。よって、かかる構成によれば、電線Ｗの掴み操作がし易くなっている。
【００６６】
本実施形態では、掴み部材３は、一方の開閉部材２Ａから他方の開閉部材２Ｂ側に所定距離離間して配置されているため、一方の開閉部材２Ａ側にある手指が掴み部材３から離れるので、電工ナイフＦを安全にガイドすることができる。
【００６７】
本実施形態では、一対の開閉部材２が湾曲して形成されているため、作業者Ｈの手の平に沿うようになっており、作業者Ｈが把持しやすいものとなっている。
【００６８】
本実施形態では、掴み部材３で電線Ｗを付勢するように掴んだ状態で、一対の開閉部材２を把持することができるので、作業者Ｈの把持力以上の力で電線Ｗをしっかりと掴むことができる。
【００６９】
本実施形態では、保護部６は、下端側にスライドされることで、電工ナイフＦの軌跡上に保護部本体６１が位置するように、一対の開閉部材２に取り付けられている。そのため、電工ナイフＦがガイド部Ｔを通り過ぎ、電線Ｗ上で電工ナイフＦが滑っても、電工ナイフＦの刃先が作業者Ｈの手首に接触すること防止することができる。
【００７０】
本実施形態では、一対の開閉部材２同士によって形成される領域Ｒ２内に電工ナイフＦの刃先を位置させて、電線Ｗに切り込みを入れるようになっているので、切り込み中に電工ナイフＦの刃先が電線Ｗ上を滑っても、作業者Ｈの手指と、電工ナイフＦの刃先との間には、開閉部材２が存在するため、作業者Ｈの手指を確実にガードすることができる。
【００７１】
尚、本発明の長尺物掴み工具１は、上記実施形態に限定されるものではなく、本発明の要旨を逸脱しない範囲内において種々変更を加え得ることは勿論である。
【００７２】
上記実施形態では、掴み部材３は、掴み部材３と他方の開閉部材２Ｂとで電線Ｗを掴む場合について説明したが、これに限定されるものではない。図６に示すように、掴み部材３は、一対の板部３０を有していてもよい。一対の板部３０は、一対の開閉部材２の開閉動作に連動して掴み、該掴みを解除する動作を行い、且つ一対の開閉部材２から離れた位置で、掴んだ電線Ｗの線方向に沿って電工ナイフＦをガイドするように構成されていてもよい。
【００７３】
具体的には、一対の板部３０のうちの一方の板部３０Ａは、一方の開閉部材２Ａに固定され、他方の板部３０Ｂは、他方の開閉部材２Ｂに固定されていてもよい。そして、一対の開閉部材２の開閉先端部２１同士が離間することで、一対の板部３０の掴み先端部３２同士が離間し、一対の開閉部材２の開閉先端部２１同士が接近することで一対の板部３０の掴み先端部３２同士が接近してもよい。
【００７４】
上記実施形態では、長尺物が電線Ｗである場合について説明したが、これに限定されるものではない。長尺物は、一方向に延びる長尺なものであればよく、例えば、ホースや配管等であってもよい。即ち、長尺物掴み工具１は、電線Ｗの被覆を剥がす以外にも、層構造に形成された長尺物の外層を剥がしたり、塗料を取り除いたりする際にも使用することができる。
【００７５】
上記実施形態では、刃物が電工ナイフＦである場合について説明したが、これに限定されるものではない。刃物には、ハサミやカッターナイフ等、長尺物に切り込みを入れられる鋭利なものが含まれる。
【００７６】
上記実施形態では、一方の開閉部材２Ａは、作業者Ｈが把持した際に、作業者Ｈの人差し指から小指、及び人差し指から小指の付け根が沿う部分である場合について説明したがこれに限定されるものではない。一方の開閉部材２Ａと他方の開閉部材２Ｂとは、逆に設けられていてもよい。即ち、一方の開閉部材２Ａが親指側、他方の開閉部材２Ｂが人差し指から小指側に配置され、親指の曲げ動作に伴って一対の開閉部材２同士が開閉するものであってもよい。
【００７７】
上記実施形態では、一対の開閉部材２は、開閉先端部２１同士が接離可能となるように、開閉基端部２２同士が枢着されている場合について説明したがこれに限定されるものではない。一対の開閉部材２は、開閉基端部２２同士が離間した状態で開閉可能に構成されていてもよい。即ち、一対の開閉部材２は、相対的に回動するものでなく、離間した状態で接離するものであってもよい。
【００７８】
上記実施形態では、一対の開閉部材２の胴部２３は、湾曲した板状部材である場合について説明したが、これに限定されるものではない。一対の開閉部材２の胴部２３は、ストレートな板状部材であってもよい。また、一対の開閉部材２は、湾曲していなくてもよく、左右方向に真っすぐ延びる、ストレートな形状であってもよい。
【符号の説明】
【００７９】
１…長尺物掴み工具、２…一対の開閉部材、２Ａ…一方の開閉部材、２Ｂ…他方の開閉部材、２１，２１Ａ，２１Ｂ…開閉先端部、２２，２２Ａ，２２Ｂ…開閉基端部、２３，２３Ａ，２３Ｂ…胴部、２４，２４Ａ，２４Ｂ…連結部、２５，２５Ａ，２５Ｂ…内面、２６，２６Ａ，２６Ｂ…外面、２３１Ａ，２３１Ｂ…左胴部、２３１Ｃ…胴部貫通孔、２３２Ａ，２３２Ｂ…右胴部、２３３Ａ，２３３Ｂ…中央胴部、２４１Ａ，２４１Ｂ…連結本体、２４１Ｃ…左貫通孔、２４１Ｄ，２４２Ｄ…右貫通孔、２４２Ａ…延設部、２４２Ｃ…延設部貫通孔、２４２Ｅ…中央貫通孔、２４１１Ａ，２４１１Ｂ…左連結本体、２４１２Ａ，２４１２Ｂ…右連結本体、２４１３Ａ，２４１３Ｂ…中央連結本体、２４２１Ａ…左延設部、２４２２Ａ…右延設部、２４２３Ａ…中央延設部、３…掴み部材、３Ａ…左貫通孔、３Ｂ…中央貫通孔、３０…一対の板部、３０Ａ…一方の板部、３０Ｂ…他方の板部、３１…掴み基端部、３２…掴み先端部、３３…対向面、３４…左掴み部、３５…右掴み部、３６…中央掴み部、４…リンク部材、４１…リンク本体、４１１…一方の端部、４１２…他方の端部、５…付勢部材、５１…ばね本体、５２，５２Ａ，５２Ｂ…係止部、６…保護部、６１…保護部本体、６２…係合部、７，７１，７２，７３，７４…連結軸、Ｆ…電工ナイフ（刃物）、Ｈ…作業者、Ｌ…スリット、Ｒ１…掴み領域、Ｒ２…領域、Ｓ１…自然姿勢、Ｓ２…離間姿勢、Ｔ…ガイド部、Ｖ１…掴み解除位置、Ｖ２…掴み位置、Ｗ…電線（長尺物）、Ｘ…上下方向、α…角度、Ｐ１，Ｐ２…開口
【図１】
2017208886.tif 000003
【図２】
2017208886.tif 000004
【図３】
2017208886.tif 000005
【図４】
2017208886.tif 000006
【図５】
2017208886.tif 000007
【図６】
2017208886.tif 000008
【図７】
2017208886.tif 000009